(57)【要約】【課題】  手術等を行うテーブル装置において被検部位の位置が変動しないように被検者の体位を変える。【解決手段】  回動軸（９ａ）を中心に回動可能な天板（９）を備えたテーブル装置において、回動軸が被検者（４）が乗る天板（９）の上面側に設定される。被検者の被検部位（４ａ）を回動軸に合致させたうえで天板を回動させることにより、被検部位を移動させることなく被検者の体位を変えることができ、手術、検査、診察等を適正に行うことができる。【選択図】  図２
2005237450.tif 000002
【特許請求の範囲】
【請求項１】
回動軸を中心に回動可能な天板を備えたテーブル装置において、回動軸が被検者が乗る天板の上面側に設定されたことを特徴とするテーブル装置。
【請求項２】
請求項１に記載のテーブル装置において、被検者を乗せる天板の一部又は全体を凹形に湾曲させ、この天板の湾曲部の曲率中心を回動軸として天板を回動させるようにしたことを特徴とするテーブル装置。
【請求項３】
請求項１又は請求項２に記載のテーブル装置において、天板の回動軸がコンピュータ断層撮影装置又は磁気共鳴映像装置の検出ヘッドの中心軸に合致するように、天板が配置されたことを特徴とするテーブル装置。
【請求項４】
請求項１乃至請求項３のいずれかに記載のテーブル装置において、天板と被検者との間にマットを置くことにより、被検者の被検部位を回動軸に合致させるようにしたことを特徴とするテーブル装置。
【発明の詳細な説明】
【技術分野】
【０００１】
本発明は、手術、検査、診察等に使用されるテーブル装置に関する。
【背景技術】
【０００２】
従来、手術用のテーブル装置の被検者を乗せるための天板は、フレーム上に横転可能に支持される。天板を横転させることにより、被検者の体位を手術、検査、診察等に適した位置、姿勢に変えることができるようになっている（例えば、特許文献１参照。）。
【０００３】
また、コンピュータ断層撮影（ＣＴ）装置の被検者を乗せるテーブル装置の天板は、被検者の体軸を中心に湾曲するように形成される。このように天板を湾曲させることで被検者に対するＸ線の透過当量を一定にし適正な画像が得られるようにしている（例えば、非特許文献１参照。）。
【０００４】
【特許文献１】特開２００１−１２０６０９号公報
【非特許文献１】橋本信也，「エキスパートナースＭＯＯＫ３検査マニュアル」，第１版，照林社，１９９０年４月１０日発行，ｐ１０
【発明の開示】
【発明が解決しようとする課題】
【０００５】
ところが、図３に示すように、従来の手術用テーブル装置の天板１は単なる平板として形成され、回動軸としての横転軸２が天板１を支えるフレーム３の下方に設定されているので、手術に適するように被検者４の体位を変更するべく図３（Ａ）の中立位置から同図（Ｂ）のように天板１を横転させると、被検部位４ａ又は関心部位が元の位置からずれてしまうという問題を生じる。例えば、顕微鏡を使用する頭蓋内の手術の場合は、被検者４の体位を変えると被検部位４ａが顕微鏡の視野内から消えるというような不都合が生じる。
【０００６】
また、従来のコンピュータ断層撮影（ＣＴ）装置の被検者を乗せる天板は、湾曲しているがフレーム上に動かないように固定されているので、ＣＴ装置により被検者を撮像しながら手術等を行う場合に、手術等に都合が良いように被検者の体位を変更することができないという問題がある。
【０００７】
したがって、本発明は上記不具合を解消することができるテーブル装置を提供することを目的とする。
【課題を解決するための手段】
【０００８】
上記課題を解決するため、請求項１に係る発明は、回動軸（９ａ）を中心に回動可能な天板（９）を備えたテーブル装置において、回動軸（９ａ）が被検者（４）が乗る天板（９）の上面側に設定されたテーブル装置（５）を採用する。
【０００９】
また、請求項２に係る発明は、請求項１に記載のテーブル装置（５）において、被検者（４）を乗せる天板（９）の一部又は全体を凹形に湾曲させ、この天板（９）の湾曲部の曲率中心を回動軸（９ａ）として天板（９）を回動させるようにしたテーブル装置（５）を採用する。
【００１０】
また、請求項３に係る発明は、請求項１又は請求項２に記載のテーブル装置（５）において、天板（９）の回動軸（９ａ）がコンピュータ断層撮影（ＣＴ）装置又は磁気共鳴映像（ＭＲＩ）装置の検出ヘッド（６）の中心軸（６ａ）に合致するように、天板（９）が配置されたテーブル装置（５）を採用する。
【００１１】
また、請求項４に係る発明は、請求項１乃至請求項３のいずれかに記載のテーブル装置（５）において、天板（９）と被検者（４）との間にマット（１２）を置くことにより、被検者（４）の被検部位（４ａ）を回動軸（９ａ）に合致させるようにしたテーブル装置（５）を採用する。
【発明の効果】
【００１２】
請求項１に係る発明によれば、回動軸（９ａ）を中心に回動可能な天板（９）を備えたテーブル装置において、回動軸（９ａ）が被検者（４）が乗る天板（９）の上面側に設定されたことから、被検者（４）の被検部位（４ａ）を回動軸（９ａ）に合致させたうえで天板（９）を回動させることにより、被検部位（４ａ）を移動させることなく被検者（４）の体位を変えることができる。従って、手術、検査、診察等を適正に行うことができる。
【００１３】
請求項２に係る発明によれば、請求項１に記載のテーブル装置（５）において、被検者（４）を乗せる天板（９）の一部又は全体を凹形に湾曲させ、この天板（９）の湾曲部の曲率中心を回動軸（９ａ）として天板（９）を回動させるようにしたテーブル装置（５）であるから、被検者（４）の被検部位（４ａ）を回動軸（９ａ）に合致させたうえで湾曲部を利用して天板（９）を回動させることにより、被検部位（４ａ）を移動させることなく被検者（４）の体位を変えることができる。また、天板（９）が湾曲部を備えていることから、被検者（４）を天板（９）上に安定的に支持することができる。従って、手術、検査、診察等を適正に行うことができる。
【００１４】
請求項３に係る発明によれば、請求項１又は請求項２に記載のテーブル装置（５）において、天板（９）の回動軸（９ａ）がコンピュータ断層撮影（ＣＴ）装置又は磁気共鳴映像（ＭＲＩ）装置の検出ヘッド（６）の中心軸（６ａ）に合致するように、天板（９）が配置されたテーブル装置（５）であるから、被検者（４）の被検部位（４ａ）を回動軸（９ａ）に合致させたうえで天板（９）を回動させることにより、被検部位（４ａ）を移動させることなく被検者（４）の体位を変えることができる。従って、ＣＴ装置又はＭＲＩ装置により被検者（４）を撮像しながら手術等を行う場合に、被検者（４）の被検部位（４ａ）を移動させることなく体位を変更することができ、明瞭な被検部位（４ａ）の画像を見ながら手術を適正に行うことができる。
【００１５】
請求項４に係る発明によれば、請求項１乃至請求項３のいずれかに記載のテーブル装置（５）において、天板（９）と被検者（４）との間にマット（１２）を置くことにより、被検者（４）の被検部位（４ａ）を回動軸（９ａ）に合致させるようにしたテーブル装置（５）であるから、被検者（４）の被検部位（４ａ）を回動軸（９ａ）に簡易に合わせることができる。
【発明を実施するための最良の形態】
【００１６】
以下、図面を参照して発明を実施するための最良の形態について説明する。
【００１７】
図１に示すように、このテーブル装置５はＭＲＩ装置の検出ヘッド６に隣接するように配置される。
【００１８】
テーブル装置５は、床上に固定される基台７と、基台７上に配置されるベッド８と、ベッド８上に配置される天板９とを具備する。
【００１９】
基台７は、図示しないが内部に昇降機構等を有し、ベッド８から上側の構造部を昇降させ、天板９上の被検者４の被検部位（又は関心部位）４ａを検出ヘッド６の中心軸６ａに合致させる。
【００２０】
ベッド８は基台７の上端に水平に固定され、案内機構を介して天板９を支持する。案内機構は天板９をベッド８上に保持するための図２に示す保持板１０、天板９を保持板１０ごと図１に示す検出ヘッド６のボア６ｂ外とボア６ｂ内との間で往復移動させる図示しない油圧シリンダ装置等の駆動部、往復移動を案内する図示しないガイドレール等を備える。
【００２１】
図２に示すように、天板９は仮想的な回動軸９ａを中心に回動可能であり、この回動軸９ａが被検者４が乗る天板９の上面側に設定される。
【００２２】
具体的には、被検者４を乗せる天板９の一部又は全体を凹形に湾曲させ、この天板９の湾曲した外表面を上記保持板１０上にローラ１１ａ，１１ｂ，１１ｃ，１１ｄを介して支持している。ローラ１１ａ，１１ｂ，１１ｃ，１１ｄは保持板１０上に図示しないブラケットにより回転自在に軸支される。これにより、天板９はその湾曲部の曲率中心を回動軸９ａとして回動可能である。図２中、符号Ｒは湾曲部の円弧の半径を示す。また、全部又は一部のローラ１１ｂが駆動され、この駆動力により天板９が回動軸９ａを中心にして回動し、図示しないブレーキ装置により所望角度だけ回動したところで停止する。
【００２３】
天板９は上述したように基台７の昇降機構によりＭＲＩ装置の検出ヘッド６に対して昇降させることができるが、設置当初より天板９の回動軸９ａが検出ヘッド６の中心軸６ａに合致するように配置してもよい。その場合は図２に示すように、天板９と被検者４との間にマット１２を置くことにより、被検者４の被検部位４ａを回動軸９ａに合致させることができる。
【００２４】
次に、上記構成のテーブル装置５の作用について説明する。
【００２５】
図１及び図２（Ａ）に示すように、ＭＲＩ装置の検出ヘッド６のボア６ｂ外において中立位置にセットされた天板９上に被検者を乗せる。
【００２６】
その際、マット１２を天板９上に置いて被検者４の被検部位４ａを回動軸９ａに合致させる。
【００２７】
また、基台７内の昇降機構を作動させることにより、回動軸９ａを検出ヘッド６の中心軸６ａに合致させる。
【００２８】
次に、図示しない駆動部により天板９を保持板１０ごと図１に示す検出ヘッド６側へと移動させ、被検者４をボア６ｂ内へと導く。
【００２９】
要すれば、被検者４をボア６ｂ内に導入する前又は導入した後に、図２（Ｂ）に示すように、天板９を回動軸９ａの回りに回動させ、被検部位４ａを検出ヘッド６の中心軸６ａからずらせることなく被検者４の体位を変える。
【００３０】
その後、検出ヘッド６が作動し、被検者４から放出される電磁波エネルギを検出し、これを図示しないコンピュータが処理して画像を描く。
【００３１】
検出ヘッド６による検査後、図示しない駆動部により天板９を保持板１０ごと図１に示す検出ヘッド６外へと移動させ、被検者４をボア６ｂ外へと搬出する。
【００３２】
画像診断を行いつつ手術をする場合は、検出ヘッド６の傍らにおいてこのテーブル装置５が直ちに手術台として利用される。
【００３３】
要すれば、図２（Ｂ）に示すように、天板９を回動軸９ａの回りに回動させ、被検部位４ａを移動させることなく手術に都合が良いように被検者４の体位を変える。
【００３４】
被検部位４ａは回動軸９ａに合致しているので、被検者４の体位を変えたとしても、被検部位４ａは例えば術者が使用する顕微鏡の視野内に在り、手術、診断等を速やかに行うことができる。
【００３５】
手術中又は手術後に再度被検部位４ａを撮像する場合は、被検部位４ａは回動軸９ａ上に合致したままなので、そのまま又は回動軸９ａを検出ヘッド６の中心軸６ａに合致させたうえで、天板９を検出ヘッド６の方へとスライドさせ、被検者４をボア６ｂ内に搬送する。
【００３６】
このように、ＭＲＩ装置により被検者４を撮像しながら手術等を行う場合に、被検者４の被検部位４ａを移動させることなく体位を変更することができるので、被検部位４ａの画像を明瞭な状態で速やかに入手し、適正な画像診断に基づいた手術を適正かつ速やかに行うことができる。
【００３７】
なお、本発明は上記実施の形態に限定されるものではなく、例えば上記実施の形態では患者の頭部の検査等について説明したが他の部位の検査等についても適用可能である。また、テーブル装置はＭＲＩ装置に限らずＣＴ装置等他の装置に配置することも可能である。さらに、テーブル装置はＭＲＩ装置等と切り離して単独で手術等に使用することも可能である。
【図面の簡単な説明】
【００３８】
【図１】本発明に係るテーブル装置を備えたＭＲＩ装置の斜視図である。
【図２】本発明に係るテーブル装置の動作を説明する図であり、（Ａ）は天板が中立位置に在る状態を示し、（Ｂ）は天板が中立位置から左又は右に回動した状態を示す。
【図３】従来のテーブル装置の動作を説明する図であり、（Ａ）は天板が中立位置に在る状態を示し、（Ｂ）は天板が中立位置から一方に回動した状態を示す。
【符号の説明】
【００３９】
４…被検者
４ａ…被検部位
５…テーブル装置
６…検出ヘッド
６ａ…中心軸
９…天板
９ａ…回動軸
１２…マット
【図１】
2005237450.tif 000003
【図２】
2005237450.tif 000004
【図３】
2005237450.tif 000005